(57)【特許請求の範囲】
【請求項１】
筐体に棒状アンテナを引き出し収納自在に設け、前記筐体内に内蔵アンテナを収容し、前記棒状アンテナの基端部にアンテナエレメントと導通する導電金具を設けるとともに軸方向にずらして前記アンテナエレメントと絶縁された略周状のスイッチバネを設け、前記棒状アンテナを引き出した状態で前記導電金具に臨んでこれに導通する給電金具と前記スイッチバネに臨んでこれを挟むように一対のスイッチ端子をそれぞれに設け、前記棒状アンテナの引き出し状態で、前記スイッチバネが前記一対のスイッチ端子を導通させ、この導通に応じて電気スイッチにより前記棒状アンテナの前記導電金具が前記給電金具を介して給電回路に電気的接続され、前記棒状アンテナの収納状態で、前記一対のスイッチ端子は非導通となり、この非導通に応じて前記電気スイッチにより前記内蔵アンテナが前記給電回路に電気的接続されるように構成したことを特徴とする携帯電話用アンテナ装置。
【請求項２】
請求項１記載の携帯電話用アンテナ装置において、前記棒状アンテナの引き出し方向の移動で、まず前記導電金具が前記給電金具に電気的接続し、その後に前記スイッチバネが前記一対のスイッチ端子を導通するように配設して構成したことを特徴とする携帯電話用アンテナ装置。
【請求項３】
請求項１または２記載の携帯電話用アンテナ装置において、前記棒状アンテナの基端部に設けた前記導電金具よりもさらに基端側に前記スイッチバネを配設し、前記導電金具の外径を前記一対のスイッチ端子間を通過する際に前記一対のスイッチ端子を導通させないように設定して構成したことを特徴とする携帯電話用アンテナ装置。
【請求項４】
請求項１ないし３記載のいずれかの携帯電話用アンテナ装置において、前記給電金具が螺合して固定し得る給電受金具を前記棒状アンテナが引き出し収納自在に前記筐体に固定し、前記給電受金具に絶縁樹脂により前記一対のスイッチ端子を略筒状に含んで一体的に配設し、さらに前記略筒状の基端側にパイプの一端を連通させ、このパイプの他端を閉塞し、前記給電受金具内に侵入した雨水が前記パイプ内に溜まるように構成したことを特徴とする携帯電話用アンテナ装置。
【発明の詳細な説明】
【０００１】
【発明の属する技術分野】
本発明は、引き出し収納自在な棒状アンテナと内蔵アンテナとを備えた携帯電話用アンテナ装置に関するものである。
【０００２】
【従来の技術】
携帯電話機にあっては、引き出し収納自在な棒状アンテナと筐体内に収容された内蔵アンテナとを備え、棒状アンテナの引き出し動作にともない、棒状アンテナと内蔵アンテナのいずれか一方を給電回路に切り換え接続するものがある。これは、待ち受け状態では内蔵アンテナをアンテナとして動作させ、通話時には棒状アンテナを引き出してこれをアンテナとして動作させて高いアンテナ利得を得るようにするためである。
【０００３】
【発明が解決しようとする課題】
かかる従来の棒状アンテナの引き出し動作によるアンテナの切り換えには、棒状アンテナの基端部に設けたカムやコマなどによって機械的スイッチが動作する機構が用いられていた。しかし、従来の機械的な機構は大型であり、大きな設置スペースが必要であった。
【０００４】
本発明は、上述のごとき従来技術の事情に鑑みてなされたもので、アンテナ切換のための機構に大きな設置スペースを必要としない携帯電話用アンテナ装置を提供することを目的とする。
【０００５】
【課題を解決するための手段】
かかる目的を達成するために、筐体に棒状アンテナを引き出し収納自在に設け、前記筐体内に内蔵アンテナを収容し、前記棒状アンテナの基端部にアンテナエレメントと導通する導電金具を設けるとともに軸方向にずらして前記アンテナエレメントと絶縁された略周状のスイッチバネを設け、前記棒状アンテナを引き出した状態で前記導電金具に臨んでこれに導通する給電金具と前記スイッチバネに臨んでこれを挟むように一対のスイッチ端子をそれぞれに設け、前記棒状アンテナの引き出し状態で、前記スイッチバネが前記一対のスイッチ端子を導通させ、この導通に応じて電気スイッチにより前記棒状アンテナの前記導電金具が前記給電金具を介して給電回路に電気的接続され、前記棒状アンテナの収納状態で、前記一対のスイッチ端子は非導通となり、この非導通に応じて前記電気スイッチにより前記内蔵アンテナが前記給電回路に電気的接続されるように構成されている。
【０００６】
また、前記棒状アンテナの引き出し方向の移動で、まず前記導電金具が前記給電金具に電気的接続し、その後に前記スイッチバネが前記一対のスイッチ端子を導通するように配設して構成しても良い。
【０００７】
そして、前記棒状アンテナの基端部に設けた前記導電金具よりもさらに基端側に前記スイッチバネを配設し、前記導電金具の外径を前記一対のスイッチ端子間を通過する際に前記一対のスイッチ端子を導通させないように設定して構成することもできる。
【０００８】
さらに、前記給電金具が螺合して固定し得る給電受金具を前記棒状アンテナが引き出し収納自在に前記筐体に固定し、前記給電受金具に絶縁樹脂により前記一対のスイッチ端子を略筒状に含んで一体的に配設し、さらに前記略筒状の基端側にパイプの一端を連通させ、このパイプの他端を閉塞し、前記給電受金具内に侵入した雨水が前記パイプ内に溜まるように構成することも可能である。
【０００９】
【発明の実施の形態】
以下、本発明の一実施例を図１ないし図９を参照して説明する。図１は、本発明の携帯電話用アンテナ装置の一実施例の構成を示す説明図であり、（ａ）は棒状アンテナを引き出した接続状態を示し、（ｂ）は棒状アンテナを収納した接続状態を示す。図２は、棒状アンテナを引き出し収納自在とする構成の縦断面図であり、（ａ）は引き出し状態を示し、（ｂ）は収納状態を示す。図３は、棒状アンテナの引き出し状態で一対のスイッチ端子がスイッチバネにより導通する構造を示す図である。図４は、図３のＡ−Ａ断面拡大図である。図５は、スイッチバネの外観図であり、（ａ）は平面図であり、（ｂ）は側面図である。図６は、別の形状のスイッチバネの外観図であり、（ａ）は平面図であり、（ｂ）は側面図である。図７は、さらに別の形状のスイッチバネの外観図であり、（ａ）は平面図であり、（ｂ）は側面図である。図８は、棒状アンテナの引き出し方向の移動でまず導電金具が給電金具に電気的接続した状態を示す図である。図９は、給電金具が螺合して固定し得る給電受金具などの外観図である。
【００１０】
図１に示すごとく、携帯電話の筐体（図示せず）には、棒状アンテナ１０が引き出し収納自在に配設され、また筐体内に内蔵アンテナ１２が収容されている。また、筐体内の給電回路１４が電気スイッチ１６を介して内蔵アンテナ１２と整合回路１８にそれぞれ電気的接続され、整合回路１８が給電金具２０に電気的接続される。さらに、電気スイッチ１６は、後述する一対のスイッチ端子２２，２２とスイッチバネ２４によるＯＮ／ＯＦＦスイッチにより電圧源２６の電圧が印加若しくは印加されないように電気的接続される。そして、図１（ａ）のごとく、棒状アンテナ１０が引き出された状態では、一対のスイッチ端子２２，２２をスイッチバネ２４が導通させて電気スイッチ１６に電圧が印加され、給電回路１４と整合回路１８が電気的接続され、内蔵アンテナ１２が切り離されるように回路接続される。また、図１（ｂ）のごとく、棒状アンテナ１０が収納状態では、一対のスイッチ端子２２，２２は非導通となり、電気スイッチ１６に電圧が印加されずに、給電回路１４と内蔵アンテナ１２が電気的接続され、整合回路が切り離されるように回路接続される。なお、電気スイッチ１６は、一例としてＩＣスイッチまたは高周波リレースイッチである。
【００１１】
棒状アンテナ１０の引き出し収納自在の構造の一例は、図２に示すごとく、先端に飾り玉２８が設けられた先端側ロッド３０が基端側ロッド３２にテレスコープ状に引き出し収納自在であり、この基端側ロッド３２が給電金具２０に軸方向に引き出し収納自在である。そして、この給電金具２０が、筐体に適宜に固定される給電受金具３４に螺合により固定される。給電受金具３４の基端側には、図２および図３に示すごとく、絶縁樹脂部４６が一対のスイッチ端子２２，２２を含んで略筒状に一体的に配設され、この筒状の基端側にパイプ３６の一端が連通され、その他端が筐体に突接されたボス３８に嵌合されるなどにより適宜に閉塞される。棒状アンテナ１０の引き出し状態で、先端ロッド３０の基端側と基端側ロッド３２の先端側が、導電バネなどの接触により電気的接続され、また基端側ロッド３２の基端側に設けた導電金具４０が給電金具２０内の導電バネ４２に接触して電気的接続されて、１本のアンテナとして動作するように構成されることは勿論である。
【００１２】
次に、棒状アンテナ１０の引き出しおよび収納動作で、電気スイッチ１６に電圧源２６の電圧を印加し若しくは印加しないＯＮ／ＯＦＦスイッチの構造につき説明する。図３に示すごとく、棒状アンテナの基端側ロッド３２の基端側に設けた導電金具４０の基端側には、絶縁樹脂により給電金具２０を通過し得ない太い外径のストッパ部４４が設けられ、このストッパ部４４の基端側にスイッチバネ２４が配設される。このスイッチバネ２４は、図５に示すごとく、リン青銅やベリウム銅などの弾性と導電性に優れた金属板からなり、Ｃ字状の略周状でその外方に向けて突部２４ａ，２４ａ…が突設されている。なお、図５では、突部２４ａ，２４ａ…が３つであるが４つ以上設けられていても良い。
【００１３】
また、給電受金具３４には、絶縁樹脂部４６で軸方向に基端側にずらして、導電金属からなる半円弧状の一対のスイッチ端子２２，２２が、図４に示すごとく、絶縁樹脂を介在させて互いに電気的接続しないように略筒状に配設される。さらに、この略筒状の基端側にパイプ３６の一端が連接される。そして、棒状アンテナ１０が完全に引き出された状態で、一対のスイッチ端子２２，２２にスイッチバネ２４が臨むように構成され、このスイッチバネ２４の弾接により一対のスイッチ端子２２，２２が導通状態とされる。筐体に配設される給電受金具３４は、図９に示すごとく、筐体へ配置する軸回りの姿勢が規制されるようになし、導電材からなり筐体に固定される給電接触子４８が接触して電気的接続し、この給電接触子４８が整合回路１８に電気的接続される。また、一対のスイッチ端子２２，２２にも、それぞれ導電材からなり筐体に固定されるスイッチ接触子５０，５０が接触して電気的接続し、その一方が電気的スイッチ１６に電気的接続され、他方が電圧源２６に電気的接続される。
【００１４】
なお、スイッチバネ２４は、図５に示すごとき構造に限られず、棒状アンテナ１０を完全に引き出した状態で、一対のスイッチ端子２２，２２の間を導通させれば良い。そこで、図６に示すごとく、Ｃ字状金具に側方から見て外方に凸なる円弧状の舌片を３本軸方向に配設したスイッチバネ５２でも良い。また、図７に示すごとく、Ｃ字状金具に側方から見て外方に凸なる円弧状の舌片を２本軸方向に配設し、この舌片の幅が一対のスイッチ端子２２，２２の間隔よりも広く形成したスイッチバネ５４であっても良い。
【００１５】
さらに、図８に示すごとく、棒状アンテナ１０の基端部の導電金具４０の外径φ１は、一対のスイッチ端子２２，２２の内径φ２よりも小さく設定され、導電金具４０が一対のスイッチ端子２２，２２の間を移動する際に、この一対のスイッチ端子２２，２２が導電金具４０を介して導通されないように構成される。また、棒状アンテナ１０の引き出し移動で完全に引き出される直前で、図８のごとく、導電金具４０が給電金具２０に導通しても、スイッチバネ２４が一対のスイッチ端子２２，２２を導通する位置になく、軸方向に寸法ｈだけずれるように設定される。そこで、さらに棒状アンテナ１０を引き出し移動させて完全な引き出し状態で、初めてスイッチバネ２４により一対のスイッチ端子２２，２２が導通される。
【００１６】
なお、上記実施例では、スイッチバネ２４が、一対のスイッチ端子２２，２２に弾接するように構成したが、これに限られず、スイッチ端２２，２２が弾力を備えてスイッチバネ相当の部材に弾接して、一対のスイッチ端子２２，２２が導通するようにしても良い。また、上記実施例では、一対のスイッチ端子２２，２２を絶縁樹脂部４６で給電受金具３４に一体的な筒状に設け、この一対のスイッチ端子２２，２２に筐体に固定される一対のスイッチ接触子５０，５０を接触させているが、この一対のスイッチ接触子５０，５０が一対のスイッチ端子２２，２２として、直接的にスイッチバネ２４が接触して導通するように構成しても良い。さらに、上記実施例では一対のスイッチ端子２２，２２が導通すると、電気スイッチ１６に電圧が印加され、非導通とされると電気スイッチ１６に電圧が印加されないようにして、電気スイッチ１６の切り換え制御がなされているが、かかる構成に限られず、一対のスイッチ端子２２，２２の導通および非導通に応じて電気スイッチ１６が適宜に切り換え制御されるならば、その切り換え制御する構造がいかなるものであっても良い。
【００１７】
そして、上記実施例の棒状アンテナ１０は、２段のテレスコープ状で引き出し収納自在であるが、３段以上のテレスコープ状であっても良く、また１本の棒状であっても良い。さらに、棒状アンテナ１０の先端部に、トップローディングが設けられたものであっても良く、棒状アンテナ１０の構造は、筐体に対して引き出し収納できればいかなる構造であっても良い。
【００１８】
【発明の効果】
以上説明したように、本発明の携帯電話用アンテナ装置は構成されているので、以下のごとき格別な効果を奏する。
【００１９】
請求項１記載の携帯電話用アンテナ装置は、棒状アンテナの引き出し状態で、その基端部のスイッチバネが一対のスイッチ端子を導通させ、この導通に応じて電気スイッチが棒状アンテナの基端部を給電回路に電気的接続してアンテナとして動作させ、棒状アンテナの収納状態で、一対のスイッチ端子は非導通となり、この非導通に応じて電気スイッチは内蔵アンテナを給電回路に電気的接続してアンテナとして動作させる。そして、電気スイッチを切り換え制御する一対のスイッチ端子の機構が、棒状アンテナの引き出し収納構造に組み込まれるので、従来のごとき大きな設置スペースを必要としない。
【００２０】
請求項２記載の携帯電話用アンテナ装置は、棒状アンテナの引き出し方向への移動で、まず棒状アンテナの導電金具が給電金具に電気的接続され、その後にスイッチバネにより一対のスイッチ端子が導通されて電気スイッチが切り換えられるので、棒状アンテナがほぼ完全に引き出させる状態で初めて内蔵アンテナから棒状アンテナに切り換えられることとなる。そこで、内蔵アンテナから確実に高い利得が得られる状態の棒状アンテナに切り換えられ、この切り換えに伴いアンテナ利得が低下するようなことがない。もって、待ち受け受信状態から通話状態に円滑に移行することができる。
【００２１】
請求項３記載の携帯電話用アンテナ装置は、棒状アンテナの引き出しの際に、導電金具により一対のスイッチ端子を導通させることがなく、棒状アンテナがほぼ完全に引き出されていない状態で、不必要に電気スイッチが内蔵アンテナから棒状アンテナに切り換わるようなことがない。
【００２２】
請求項４記載の携帯電話用アンテナ装置は、棒状アンテナ側から給電受金具内に侵入した雨水がパイプ内に溜まり、筐体内に収容される給電回路などで短絡事故を生ずる虞がない。
【図面の簡単な説明】
【図１】本発明の携帯電話用アンテナ装置の一実施例の構成を示す説明図であり、（ａ）は棒状アンテナを引き出した接続状態を示し、（ｂ）は棒状アンテナを収納した接続状態を示す。
【図２】棒状アンテナを引き出し収納自在とする構成の縦断面図であり、（ａ）は引き出し状態を示し、（ｂ）は収納状態を示す。
【図３】棒状アンテナの引き出し状態で一対のスイッチ端子がスイッチバネにより導通する構造を示す図である。
【図４】図３のＡ−Ａ断面拡大図である。
【図５】スイッチバネの外観図であり、（ａ）は平面図であり、（ｂ）は側面図である。
【図６】別の形状のスイッチバネの外観図であり、（ａ）は平面図であり、（ｂ）は側面図である。
【図７】さらに別の形状のスイッチバネの外観図であり、（ａ）は平面図であり、（ｂ）は側面図である。
【図８】棒状アンテナの引き出し方向の移動でまず導電金具が給電金具に電気的接続した状態を示す図である。
【図９】給電金具が螺合して固定し得る給電受金具などの外観図である。
【符号の説明】
１０  棒状アンテナ
１２  内蔵アンテナ
１４  給電回路
１６  電気スイッチ
２０  給電金具
２２  一対のスイッチ端子
２４，５２，５４  スイッチバネ
２６  電圧源
３４  給電受金具
３６  パイプ
３８  ボス
４０  導電金具
４４  ストッパ部
４６  絶縁樹脂部
【図１】
0003884272.tif 000002
【図２】
0003884272.tif 000003
【図３】
0003884272.tif 000004
【図４】
0003884272.tif 000005
【図５】
0003884272.tif 000006
【図６】
0003884272.tif 000007
【図７】
0003884272.tif 000008
【図８】
0003884272.tif 000009
【図９】
0003884272.tif 000010